(57)【要約】【課題】アンテナキャップの抜け落ちを防止した電子レンジ用マグネトロンを提供すること。【解決手段】排気用管部をチップオフして形成し、マグネトロンの管内を気密に封止する封止部２１と、この封止部２１の下端から外側に広がる膨大部２２ａおよび管軸ｍ方向に延びる筒状部２２ｂを有し、管内に設けるチョーク構造の一部を形成する筒状容器部２２と、この筒状容器部２２の筒状部２ｂに接合した絶縁円筒１９とを具備した電子レンジ用マグネトロンにおいて、封止部２１の管軸ｍ方向の長さが８ｍｍ〜１０ｍｍの範囲であることを特徴とする。【選択図】図１
2007066673.tif 000002
【特許請求の範囲】
【請求項１】
排気用管部をチップオフして形成し、マグネトロンの管内を気密に封止する封止部と、この封止部の下端から外側に広がる膨大部および管軸方向に延びる筒状部を有し、管内に設けるチョーク構造の一部を形成する筒状容器部と、この筒状容器部の前記筒状部に接合した絶縁円筒とを具備した電子レンジ用マグネトロンにおいて、前記封止部の管軸方向の長さが８ｍｍ〜１０ｍｍの範囲であることを特徴とする電子レンジ用マグネトロン。
【請求項２】
封止部と筒状容器部が銅製で一体に形成されている請求項１記載の電子レンジ用マグネトロン。
【請求項３】
筒状容器部を構成する筒状部の管軸方向における長さが約６．６ｍｍである請求項１または請求項２記載の電子レンジ用マグネトロン。
【発明の詳細な説明】
【技術分野】
【０００１】
本発明は、電子レンジなどに使用する電子レンジ用マグネトロンに関する。
【背景技術】
【０００２】
電子レンジ用マグネトロンは高周波を出力する電子管で、通常、食品の調理や解凍などを行う電子レンジの加熱源として利用されている。
【０００３】
ここで、従来の電子レンジ用マグネトロンについて図７を参照して説明する。図７（ａ）は側面図、図７（ｂ）は図７（ａ）の上方から出力部を見た上面図である。
【０００４】
電子レンジ用マグネトロンは高周波を発生する発振部本体７１および発振部本体７１に電力を供給する入力部７２、発振部本体７１で発生した高周波を取り出す出力部７３などから構成されている。
【０００５】
発振部本体７１は陽極部分を形成する金属円筒７４などから構成され、金属円筒７４の内部に陰極（図示せず）が配置されている。入力部７２は入力側金属容器７５および絶縁ステム７６などから構成されている。また、発振部本体７１の陰極に電力を供給するリード線７７が絶縁ステム７６を貫通している。出力部７３は、出力側金属容器７８および絶縁円筒７９、排気用金属容器８０などから構成されている。
【０００６】
排気用金属管８０は封止部８１および筒状容器部８２などから構成されている。封止部８１は、マグネトロンの管内を気密に封止するために、排気用管部をチップオフして形成され、また、発振部本体７１で発生した高周波を取り出すためのアンテナリード（図示せず）を封止している。筒状容器部８２は封止部８１の下端から外側に広がる膨大部８２ａおよび膨大部８２ａの外周部分から管軸ｍ方向に延びる筒状部８２ｂなどから構成されている。筒状部８２ｂの環状端部は絶縁円筒７９の端面にろう付けされている。排気用金属管８０の封止部８１および筒状容器部８２はそれぞれ、管内に設ける高周波阻止用チョーク構造の一部を形成している。
【０００７】
そして、排気用金属管８０を保護するアンテナキャッブ８３が筒状部８２ｂの外周面にはめ込まれている。
【０００８】
次に、封止部８１によってマグネトロンの管内を気密に封止する方法について図８を参照して説明する。図８は、図７に対応する部分に同じ符号を付し、重複する説明は一部省略する。
【０００９】
図８は、管内を気密に封止する前の状態を示し、図８（ａ）は側面図、図８  （ｂ）は図８（ａ）の上方から排気用金属管８０の部分を見た上面図である。
【００１０】
この状態では、封止部を形成する排気用管部８４はその一端が管内に連結し、他端が図示上方に延びている。そして、排気用管部８４を通して管内を排気した後、チップオフ用カッター８５によって筒状容器部８２の膨大部８２ａからある長さＬのところで排気用管部８４をチップオフし、封止部８１が形成される。
【００１１】
上記した構成の電子レンジ用マグネトロンは特許文献１などに開示されている。
【特許文献１】特開２００４−２２９８０２号公報
【発明の開示】
【発明が解決しようとする課題】
【００１２】
従来の電子レンジ用マグネトロンは、排気用管部８４を通して管内を排気し、その後、チップオフ用カッター８５で排気用管部８４をチップオフし、ある長さの封止部８１を形成している。しかし、排気用管部８４をチップオフする際に、筒状容器部８２の形状が変化する場合がある。筒状容器部８２の形状が変化すると、筒状容器部８２の内側に設けたチョーク構造が変形し、高周波阻止機能を低下させる恐れがある。
【００１３】
そのため、従来の電子レンジ用マグネトロンは、筒状容器部８２が変形しないように、封止部８１の長さに余裕をもたせている。たとえば、筒状部８２ｂの管軸ｍ方向における長さが約６．６ｍｍの場合、封止部８１の長さＬ、つまり筒状容器部８２との境界からその先端までの長さが、たとえば１２ｍｍ〜１４ｍｍの範囲になるように切断している。
【００１４】
この場合、封止部８１の長さに余裕があるため、図７（ｂ）に示すように、筒状容器部８２は変形せず、その外周面の断面はほぼ真円になっている。しかし、筒状容器部８２の外周面にアンテナキャップ８３を圧入して嵌め込むと、筒状容器部８２とアンテナキャップ８３との間に十分な結合強度が得られず、輸送時の振動によって抜け落ちる場合がある。
【００１５】
本発明は、上記した欠点を解決し、アンテナキャップの抜け落ちを防止した電子レンジ用マグネトロンを提供することを目的とする。
【課題を解決するための手段】
【００１６】
本発明は、排気用管部をチップオフして形成し、マグネトロンの管内を気密に封止する封止部と、この封止部の下端から外側に広がる膨大部および管軸方向に延びる筒状部を有し、管内に設けるチョーク構造の一部を形成する筒状容器部と、この筒状容器部の前記筒状部に接合した絶縁円筒とを具備した電子レンジ用マグネトロンにおいて、前記封止部の管軸方向の長さが８ｍｍ〜１０ｍｍの範囲であることを特徴とする。
【発明の効果】
【００１７】
本発明は、封止部の管軸方向の長さを８ｍｍ〜１０ｍｍと短くしている。このため、排気用管部をチップオフする際に発生する引張り応力で筒状容器部が変形し、その筒状部の断面形状が楕円形状になる。したがって、アンテナキャップを筒状容器部にはめ込んだ状態での両者の結合強度が増し、アンテナキャップの抜け落ちを防止できる。
【発明を実施するための最良の形態】
【００１８】
本発明の実施形態について図１を参照して説明する。図１（ａ）は側面図、図１（ｂ）は図１（ａ）の上方から出力部を見た上面図である。
【００１９】
電子レンジ用マグネトロンは、高周波を発生する発振部本体１１および発振部本体１１に電力を供給する入力部１２、発振部本体１１で発生した高周波を外部に取り出す出力部１３などから構成されている。
【００２０】
発振部本体１１は陽極部分を形成する金属円筒１４などから構成され、金属円筒１４の内部に陰極（図示せず）が配置されている。入力部１２は入力側金属容器１５および絶縁ステム１６などから構成されている。また、発振部本体１１の陰極に電力を供給するリード線１７が絶縁ステム１６を貫通している。出力部１３は、出力側金属容器１８および絶縁円筒１９、排気用金属容器２０などから構成されている。
【００２１】
排気用金属管２０は、たとえば封止部２１および筒状容器部２２などから構成されている。封止部２１および筒状容器部２２は銅などの金属製で、たとえば両者は接合部分のない一体構造になっている。封止部２１は、マグネトロンの管内を気密に封止するために、排気用管部をチップオフして形成され、また、発振部本体１１で発生した高周波を取り出すためのアンテナリード（図示せず）を封止している。筒状容器部２２は、たとえば封止部２１の下端から外側に広がる膨大部２２ａおよび膨大部２２ａの外周端部から管軸ｍ方向に延びる筒状部２２ｂなどから構成されている。そして、筒状部２２ｂの環状端部が、たとえば絶縁円筒１９の端面にろう付けされている。排気用金属管２０の封止部２１および筒状容器部２２はそれぞれ、管内に設ける高周波阻止用チョーク構造の一部を形成している。
【００２２】
また、排気用金属管２０を保護するために、アンテナキャップ２３がたとえば筒状部２２ｂの外周面にはめ込まれている。
【００２３】
次に、上記した電子レンジ用マグネトロンの出力部１３について図２の断面図で説明する。図２は、図１に対応する部分に同じ符号を付し、重複する説明は一部省略する。
【００２４】
出力側金属容器１８は外円筒部１８ａおよび内円筒部１８ｂの二重円筒構造を有し、たとえば外円筒部１８ａと内円筒部１８ｂとの間に設けた平坦面１８ｃに絶縁円筒１９の端面がろう付けされている。
【００２５】
排気用金属管２０は、封止部２１の延長上に、たとえば筒状部２２ｂとほぼ並行に延びる筒状突出部２２ｃが設けられている。封止部２１および突出部２２ｃで囲まれた空間Ａ、および筒状部２２ｂと突出部２２ｃに挟まれた環状空間Ｂは不要な高調波を阻止するチョーク構造を形成している。また、出力側金属容器１８の外円筒部１８ａと内円筒部１８ｂに挟まれた環状空間Ｃも不要な高調波を阻止するチョーク構造を形成している。そして、出力側金属容器１８および絶縁円筒１９、排気用金属管２０の内側をアンテナリード２４が通り、封止部２１に封止されている。
【００２６】
上記の電子レンジ用マグネトロンは、管内に連結する排気用管部を通して管内を排気した後、排気用管部をチップオフで切断し、管内を気密に封止する封止部２１が形成される。
【００２７】
ここで、排気用管部をチップオフして形成した排気用金属管２０の形状について図３を参照して説明する。図３（ａ）は側面図、図３（ｂ）は図３（ａ）の上方から排気用金属管２０を見た上面図である。図３は、図１に対応する部分に同じ符号を付し、重複する説明は一部省略する。
【００２８】
図３（ａ）に示すように、筒状容器部２２の筒状部２２ｂの長さｌ、いわゆるサイドチョーク高さが６．６ｍｍの場合、封止部２１の長さｃ、いわゆるチップオフ寸法が８ｍｍ〜１０ｍｍの範囲になるように短くしている。この場合、封止部２１の長さｃが短いため、排気用管部をチップオフする際に、筒状部２２ｂが楕円状に変形する。たとえば、図３（ｂ）に示すように、筒状部２２ｂの膨らんだ部分の直径をａ、これと直交する直径をｂとした場合の両者の差（ａ〜ｂ）を筒状部２２ｂの変形量とすると、その変形量は、たとえば０．２〜０．４ｍｍの範囲になっている。この筒状部２２ｂの変形で、アンテナキャッブ２３をはめ込んだ場合の引き抜き強度が１５０Ｎ〜１７０Ｎと大きくなり、アンテナキャップ２４の保持強度が向上した。
【００２９】
ここで、たとえば筒状容器部２２の長さｌが６．６ｍｍの場合において、筒状容器部２２の長さｌと筒状部２２ｂの変形量、アンテナキャップ２３の引き抜き強度の各関係を図４〜図６に示す。
【００３０】
図４は封止部２１の長さｃ（横軸：ｍｍ）と筒状部２２ｂの変形量（縦軸：ｍｍ）の関係を示す。図５は筒状部２２ｂの変形量（横軸：ｍｍ）とアンテナキャップの引き抜き強度（縦軸：Ｎ）の関係を示す。図６は封止部２１の長さｃ（横軸：ｍｍ）とアンテナキャップの引き抜き強度（縦軸：Ｎ）の関係を示す。
【００３１】
図４の特性Ｐに示すように、封止部２１の長さｃが短いほど筒状部２２ｂの変形量が大きくなる。また、図５の特性Ｑに示すように、筒状部２２ｂの変形量が大きいほど、アンテナキャップの引き抜き強度が高くなる。そして、図６の特性Ｒに示すように、封止部２１の長さｃが短いほど、アンテナキャップの引き抜き強度が高くなる。
【００３２】
従来の電子レンジ用マグネトロンは、筒状部２２ｂが変形しないように封止部２１の長さに余裕をもたせ、封止部２１の長さを、たとえば図６の符号Ｓ（１２ｍｍ〜１４ｍｍ）の範囲に設定している。この場合、筒状部２２ｂの変形量は０〜０．１ｍｍ程度で、引き抜き強度は約１４０Ｎとなっている。
【００３３】
この発明は、封止部２１の長さを図６の符号Ｔの範囲（８ｍｍ〜１０ｍｍ）の範囲に設定している。この場合、引き抜き強度は１５０Ｎ〜１８０Ｎと大きな値が得られる。
【００３４】
なお、封止部の長さが８ｍｍよりも小さいと、筒状部の変形量が０．５ｍｍ以上と大きくなり、アンテナキャップのはめ込みが困難で、量産に適さない。したがって、封止部の長さは８ｍｍ以上が望ましい。
【００３５】
また、発明の場合、筒状部が少し変形するが、高調波の抑制効果の低下は見られず、実用上の問題は発生しない。
【図面の簡単な説明】
【００３６】
【図１】本発明の実施形態を説明するための概略の構造図である。
【図２】本発明の出力部を抜き出した断面図である。
【図３】本発明に係る筒状部の変形量を説明する概略の構造図である。
【図４】本発明に係る封止部の長さと筒状部の変形量との関係を示す特性図である。
【図５】本発明に係る筒状部の変形量とアンテナキャップの引き抜き強度との関係を示す特性図である。
【図６】本発明に係る封止部の長さとアンテナキャップの引き抜き強度との関係を示す特性図である。
【図７】従来例を説明するための概略の構造図である。
【図８】排気用管部のチップオフ方法を説明するための概略の構造図である。
【符号の説明】
【００３７】
１１…発振部本体
１２…入力部
１３…出力部
１４…金属円筒
１５…入力側金属容器
１６…絶縁ステム
１７…リード線
１８…出力側金属容器
１９…絶縁円筒
２０…排気用金属管
２１…封止部
２２…筒状容器部
２２ａ…膨大部
２２ｂ…筒状部
２３…アンテナキャップ
ｍ…管軸
【図１】
2007066673.tif 000003
【図２】
2007066673.tif 000004
【図３】
2007066673.tif 000005
【図４】
2007066673.tif 000006
【図５】
2007066673.tif 000007
【図６】
2007066673.tif 000008
【図７】
2007066673.tif 000009
【図８】
2007066673.tif 000010